(57)【特許請求の範囲】
【請求項１】
少なくともベッド又は寝具上に人の横臥に必要な空間を形成してベッド又は寝具の周囲を囲む耐震枠組と、該枠組の上部開口をベッド又は寝具の頭部側および足部側から互いに向かい合う方向にばね力によって展開して遮蔽する一対の折畳式カバー機構と、該カバー機構を前記ばね力に抗して折畳状態に鎖錠すると共に地震による揺れを感知したときに鎖錠を解除してカバー機構のばね力による展開遮蔽動作を許容する感震ロック装置とを備え、
前記頭部側と足部側の各折畳式カバー機構が、互いに中間バネヒンジを介して枢着された複数の防護カバー板と、これら複数の防護カバー板のうちの端部に位置する防護カバー板を耐震枠組の梁に枢着する基部バネヒンジとを備え、前記展開遮蔽動作が中間バネヒンジと基部バネヒンジとの互いに同一方向への回動で行われるものであり、基部バネヒンジから先端側の中間バネヒンジへ順次展開回動動作が開始されるように各バネヒンジに連携する順序作動機構を備えたことを特徴とする感震防護装置。
【請求項２】
基部バネヒンジと中間バネヒンジが少なくとも展開回動動作の終了時の防護カバー板の回動に制動を与える制動機構を備えていることを特徴とする請求項１に記載の感震防護装置。
【請求項３】
中間バネヒンジが防護カバー板の強度部材を構成していることを特徴とする請求項１に記載の感震防護装置。
【請求項４】
前記感震ロック装置が手動操作で鎖錠を解除する手動解除機構を備えていることを特徴とする請求項１に記載の感震防護装置。
【請求項５】
前記各折畳式カバー機構の防護カバー板が展開遮蔽動作完了したときに各防護カバー板が耐震枠組の上部開口フレーム上に支承される構成を備えたことを特徴とする請求項１に記載の感震防護装置。
【請求項６】
前記各折畳式カバー機構とそれを支持する耐震枠組の上部構造が耐震枠組の下部構造に対して高さ調整可能に支承されていることを特徴とする請求項１に記載の感震防護装置。
【請求項７】
前記各折畳式カバー機構の防護カバー板の下面側が柔軟なクッション面で覆われていることを特徴とする請求項１に記載の感震防護装置。
【請求項８】
地震による揺れを感知したときに警報音を鳴動させるアラーム装置を更に備えていることを特徴とする請求項１に記載の感震防護装置。
【発明の詳細な説明】
【０００１】
【発明の属する技術分野】
本発明は、地震が起きた場合にベッド又は寝具上に横臥する人体を落下物から防護するための感震防護装置に関するものである。
【０００２】
【従来の技術】
本発明に関連する従来技術としては、本発明者による特許第２７１１４４０号及び特開平１０−１０８７５９号に開示された降下式避難ベッドがある。これらの降下式避難ベッドは周囲を囲む耐震枠組内で地震発生時に自動的に降下するベッドであり、ベッドの降下に連動する防護シャッターが耐震枠組の上部開口を遮蔽する構成を備えている。防護シャッターは平時はスライドシャッター式に折り畳まれ、或いはロール状に巻き込まれており、地震の発生でベッドが降下するとその下降運動がワイヤーおよび滑車によりシャッターに伝達され、これによりシャッターが引き出されて耐震枠組の上部開口を覆うようになっている。
【０００３】
【発明が解決しようとする課題】
上記の降下式避難ベッドは地震発生時の防護機能に優れたものであるが、その防護シャッターはベッドの降下に連動して機能を発揮するものであり、従って降下式ベッド以外ではシャッターによる防護機能は得られない。一方、病院などで広く使われている降下しない通常のベッドでは、地震発生時にそれ自体で防護機能を発揮するシャッターが要望されていることは事実である。
【０００４】
感震装置との組み合わせで遮蔽動作を行うベッド用の防護シャッターは既に知られているが、それらの多くは高強度のフレーム枠を案内軌道に利用してベッド下部や側部に収納されていたシャッター板をベッド上の人体上方を覆う防護位置までスライドさせる構造であり、従って如何に瞬時動作させてもシャッター板のスライド速度には限界があり、スライド途中では依然としてベッド上の人体上方は殆どが露呈され、スライド完了を待たないと人体上方が完全に遮蔽されず、またフレームの歪みや障害物の存在によってシャッター板の移動が妨げられると防護機能を失する難点があった。
【０００５】
本発明は、以上のような難点を解消して、地震が起きた場合にフレームに歪みがあっても確実に高速で遮蔽動作を行うことができ、しかもベッド又は寝具上に横臥する人体の最も大切な頭部から先行的に防護することができる感震防護装置を提供しようとするものである。
【０００６】
【課題を解決するための手段】
上述の課題を解決するため、本発明による感震防護装置は、少なくともベッド又は寝具上に人の横臥に必要な空間を形成してベッド又は寝具の周囲を囲む耐震枠組と、該枠組の上部開口をベッド又は寝具の頭部側および足部側から互いに向かい合う方向にばね力によって展開して遮蔽する一対の折畳式カバー機構と、該カバー機構を前記ばね力に抗して折畳状態に鎖錠すると共に地震による揺れを感知したときに鎖錠を解除してカバー機構のばね力による展開遮蔽動作を許容する感震ロック装置とを備えたことを特徴とする。
【０００７】
本発明による感震防護装置において、耐震枠組は柱及び梁からなる剛構造の直方体枠組みであって家屋の床面上に設置され、その内部にベッド又は寝具が置かれる。耐震枠組の上面は上部開口として開放され、またベッド又は寝具の両側部と頭部側及び足部側に対面する両側面及び両端面は開放又は必要に応じて面板で閉鎖されていてもよい。
【０００８】
この耐震枠組は少なくともベッド又は寝具上に人の横臥に必要な空間を形成して内部のベッド又は寝具の周囲を囲み、人の出入りは上面開口または開放側面から可能である。耐震枠組の柱の高さは、内部に配置するベッド又は寝具の高さに応じて決定することができる。
【０００９】
耐震枠組の上部開口を囲むフレームは矩形の四辺をなす強度部材としての梁で形成されるが、一対の折畳式カバー機構は、上部開口フレームの各梁のうち、枠組内に配置されるベッド又は寝具の頭部側及び足部側に位置する二つの梁上に配置することができる。これら一対の折畳式カバー機構は、耐震枠組の上部開口をベッド又は寝具の頭部側および足部側から互いに向かい合う方向にばね力によって展開して遮蔽する。
【００１０】
感震ロック装置は、折畳式カバー機構をそのばね力に抗して折畳状態に鎖錠すると共に、予め設定された震度を超える地震による揺れを感知したときには鎖錠を解除して折畳式カバー機構のばね力による展開遮蔽動作を許容する。この感震ロック装置の感震動作は例えば電子式感震センサーを利用してもよく、或いは電源を全く必要としない重錘型の機械式感震センサーを利用した鎖錠・解錠機構で実現することもでき、機械式感震センサーによる場合は、折畳式カバー機構がばね力による純機械的動作で作動する構成であるので、本発明による感震防護装置全体を全く電力を必要としないシステム構成とすることが可能である。
【００１１】
このようにして、ベッド又は寝具上で横臥姿勢にある人体に対し、本発明による感震防護装置は耐震枠組とその上面開口を地震発生時に遮蔽する折畳式カバー機構とによって落下物から防護することができ、地震発生によって感震ロック装置が鎖錠を解除すると折畳式カバー機構がベッド又は寝具の頭部側および足部側から互いに向かい合う方向にばね力によって展開して遮蔽するので、フレームに歪みがあっても折畳式カバー機構が支障無く瞬時に、しかも大切な頭部から先行して遮蔽防護可能である。
【００１２】
さらに本発明によれば、前記頭部側と足部側の各折畳式カバー機構は、互いに中間バネヒンジを介して枢着された複数の防護カバー板と、これら複数の防護カバー板のうちの端部に位置する防護カバー板を耐震枠組の梁に枢着する基部バネヒンジとを備えており、前記展開遮蔽動作が中間バネヒンジと基部バネヒンジとの互いに同一方向への回動で行われるようになっている。この展開動作は必然的に各防護カバー板が上から被さる形式で上部開口を遮蔽することになるので、例えば上部開口フレーム上に毛布などの障害物が掛かっていても展開遮蔽動作が支障無く行われる利点が得られる。
【００１３】
この場合、感震防護装置は、基部バネヒンジから先端側の中間バネヒンジへ順次展開回動動作が開始されるように各バネヒンジに連携する順序作動機構を更に備えることが好ましい。これにより各防護カバー板は基部側のものから順に展開して耐震枠組の上部開口を先に頭部及び足部側から遮蔽し、順次中央部へ向かって遮蔽を進めてゆくことになる。このような順序作動機構は、例えば基部バネヒンジで回動される第１の防護カバー板が展開回動動作を完了するまでは、この第１の防護カバーの先端部で第１の中間バネヒンジにより回動されるべき次の第２の防護カバー板が未だ第１の防護カバー板上に折畳状態のまま基部バネヒンジの構造の一部に係合されたまま展開回動を阻止され、第１の防護カバー板が展開回動動作を完了したときに基部バネヒンジの回動による変位で上記の係合が解除されるようにし、同様の係合構造を第１の中間バネヒンジと第３の防護カバー板との間に設け、以下同様に先端側へ向けて各中間バネヒンジと防護カバー板との間に係合構造を設けることにより達成可能である。
【００１４】
本発明の更に好ましい態様によれば、基部バネヒンジと中間バネヒンジは少なくとも展開回動動作の終了時の防護カバー板の回動に制動を与える制動機構を備えており、これによりばね力で高速に回動してくる防護カバー板が回動動作の終期において上部開口フレーム上にソフトに着地するようにして衝撃を少なくし、また同時にベッド又は寝具上の人体に万一当たったり或いはフレームとの間に手指を挟んだりしてもけがには至らないようにすることができる。
【００１５】
中間バネヒンジは防護カバー板が展開回動したのちには耐震枠組の上部開口フレーム上に支承され、従って例えば各中間バネヒンジのハウジングをステンレス鋼などの高強度金属パイプで形成して、防護カバー板の強度部材を構成するようにすることが望ましい。また、防護カバー板は必要な耐衝撃荷重を満足するものであれば構造に限定はなく、例えば高強度プラスチック板やスチールシャッター板などを利用することができる。
【００１６】
本発明の別の好適な一態様によれば、前記感震ロック装置は手動操作で折畳式カバー機構の鎖錠を解除する手動解除機構を備えており、これにより、ベッド又は寝具上に横臥する人が自分で、或いは外部の看護人などが感震センサーの作動前に折畳式カバー機構の鎖錠を手動解除して遮蔽動作を行わせることができるようになっている。
【００１７】
本発明の更に好適な一態様によれば、前記各折畳式カバー機構とそれを支持する耐震枠組の上部構造は耐震枠組の下部構造に対して高さ調整可能に支承されている。この高さ調整は手動操作または動力により上部構造を昇降させるジャッキ機構および係止ピン構造などで実現でき、その主な目的は耐震枠組内に配置するベッド又は寝具の高さ若しくは厚み寸法並びに使用者の体格に応じて前記横臥に必要な空間の高さ寸法を調整することにある。
【００１８】
尚、各折畳式カバー機構の防護カバー板は、展開遮蔽動作完了したときには耐震枠組の上部開口フレーム上に支承されていることが好ましく、また各折畳式カバー機構の防護カバー板の下面側は人体との衝撃を吸収可能な柔軟なクッション面で覆われていることが好ましい。
【００１９】
本発明による感震防護装置は、地震による揺れを感知したときに伴って警報音を鳴動させるアラーム装置を更に備えることができ、これにより耐震枠組内のベッド又は寝具上で熟睡していても警報音の鳴動で覚醒を促し、防護動作にそなえさせることができるから危険回避に役立つものである。この場合、アラーム装置の起動は独自の感震センサーによってもよいが、感震ロック装置の感震センサーの作動を利用しても良く、また警報音の鳴動開始は感震ロック装置の作動開始前または作動と同時若しくは直後のいずれでもよく、更には例えば電池で駆動されるアラーム装置を採用して防護カバー板が展開遮蔽動作した後は警報音の鳴動を継続するようにすれば、万一停電して倒壊した建物内に取り残されたとしても救助活動で発見が容易となる利点も得られよう。
【００２０】
本発明による感震防護装置は一般の個人住宅を始め病院および各種宿泊設備において広く利用可能であり、また、耐震枠組内には床や畳の上に直接敷かれた寝具布団は勿論、通常の固定ベッドおよび移動式ベッド並びに前述の降下式ベッドなど、種々のものを配置して防護機能を発揮することができる。
【００２１】
尚、折畳式カバー機構は平時は折り畳まれた状態にあるが、その収納はベッド又は寝具上に横臥することを妨げない位置であればよく、例えば頭部側についてはカバー機構収納部をベッドのミヤ部のように耐震枠組の上部開口フレームの一辺に立ち上げて設け、足部側については同様に立ち上げたり或いは上部開口フレーム上または外側に水平に伏せた状態に配置してもよい。
【００２２】
【発明の実施の形態】
図１は本発明の一実施例に係る感震防護装置の構造を模式的に示す側面図であり、この実施例の感震防護装置は、ベッドＢの周囲を囲む耐震枠組１０と、ベッドＢの頭部側および足部側における枠組１０の各端部で幅方向に延在する各上部横梁１１ａ，１１ｂ上に装備された一対の折畳式カバー機構２ａ，２ｂと、これらカバー機構にそれぞれ付属する感震ロック装置３ａ，３ｂとを主要構成要素として備えている。
【００２３】
耐震枠組１０は四隅の柱（図には頭部側及び足部側における各１本１０ａ，１０ｂのみ示されている）及び複数の梁（頭部側の上部横梁１１ａと中間横梁１２ａ、足部側の上部横梁１１ｂと中間横梁１２ｂ、上部左縁梁１３ａと中間左縁梁１４ａ、図示に現れていない上部右縁梁１３ｂと中間右縁梁１４ｂなど）からなる剛構造の直方体枠組みであって床面上に設置され、この耐震枠組の内部にベッドＢが置かれている。この耐震枠組１０の上面は、頭部と足部側の各上部横梁１１ａ，１１ｂ及び左右の各上部縁梁１３ａ，１３ｂによって形成される上部開口フレームで囲まれた上部開口１５として開放されており、また図示の例ではベッドＢの両側部と頭部側及び足部側に対面する両側面及び両端面も開放されているが、これら各側面及び端面は必要に応じて面板で閉鎖してもよい。
【００２４】
この耐震枠組１０は、ベッドＢ上に人の横臥に必要な空間Ｓ１と好ましくは更にその上方に余裕のある安全空間Ｓ２を形成して内部のベッドＢの周囲を囲み、人の出入りは上面開口１５または開放側面から可能となっている。耐震枠組の柱１０ａ，１０ｂの高さは、上記空間Ｓ１と内部に配置するベッドＢの高さに応じて決定されている。
【００２５】
耐震枠組１０の上部開口１５を囲む上部フレームは、上述のように矩形の四辺をなす強度部材としての頭部と足部側の各上部横梁１１ａ，１１ｂ及び左右の各上部縁梁１３ａ，１３ｂによって形成されているが、これら上部開口フレームの各梁のうち、枠組内に配置されるベッドの頭部側及び足部側に位置する二つの横梁１１ａ，１１ｂ上には折畳式カバー機構２ａ，２ｂが取り付けられている。これら一対の折畳式カバー機構２ａ，２ｂは、耐震枠組１０の上部開口１５をベッドＢの頭部側および足部側から互いに向かい合う方向にばね力によって展開して遮蔽する。
【００２６】
尚、折畳式カバー機構は平時は図中に実線で示すように頭部及び足部側共に折り畳まれて起立した収納姿勢をとっているが、この収納姿勢は枠組内への出入りやベッド上に人が横臥することを妨げない位置であればよく、特に足部側については図示のようにカバー機構を上部開口フレームの一辺に起立させて収納する以外に、上部開口フレームの外側または内側に水平に伏せた状態で折り畳むようにしてもよい。
【００２７】
感震ロック装置３ａ，３ｂは、各々の折畳式カバー機構２ａ，２ｂをそのばね力に抗して折畳状態に鎖錠すると共に、予め設定された震度を超える地震による揺れを感知したときにはこの鎖錠を解除して折畳式カバー機構２ａ，２ｂのばね力による展開遮蔽動作を許容する。この感震ロック装置３ａ，３ｂの感震動作は例えば電子式感震センサーを利用してもよく、或いは電源を全く必要としない重錘型の機械式感震センサーを利用した鎖錠・解錠機構で実現することもできる。また本実施例では各折畳式カバー機構２ａ，２ｂにそれぞれ感震ロック装置を付属させ、その鎖錠・解錠動作は各々の付属するカバー機構毎に独立に作用するようになっているが、これはいずれか一方の感震ロック装置が作動したときに他方の感震ロック装置も連動して作動するように構成してもよい。
【００２８】
頭部側と足部側の各折畳式カバー機構２ａ，２ｂは、互いに中間バネヒンジ５ａ，５ｂを介して枢着された第１防護カバー板４ａ，４ｂと第２防護カバー板６ａ，６ｂとを備えており、それぞれで枠組の長手方向の両端部に位置する第１防護カバー板４ａ，４ｂは耐震枠組の横梁１１ａ，１１ｂに対して基部バネヒンジ７ａ，７ｂによって枢着されている。また、各折畳式カバー機構の防護カバー板４ａ，４ｂ，６ａ，６ｂは、それぞれ下面側が人体との衝撃を吸収可能な柔軟なクッション面９で個々に覆われている。更に各中間バネヒンジ５ａ，５ｂも少なくとも遮蔽状態における下面側が同様なクッション材で覆われていることが好ましい。
【００２９】
個々の折畳式カバー機構２ａ（または２ｂ）において、第１と第２の防護カバー板４ａと６ａ（または４ｂと６ｂ）の展開遮蔽動作は中間バネヒンジ５ａ（または５ｂ）と基部バネヒンジ７ａ（または７ｂ）との互いに同一方向への回動で行われる。この展開動作は必然的に各防護カバー板が上から被さる形式で上部開口１５を遮蔽することになるので、例えば上部開口フレーム上に毛布などの障害物が掛かっていても展開遮蔽動作が支障無く行われる利点が得られる。
【００３０】
基部バネヒンジ７ａ，７ｂは平時はばね力を蓄えた状態で第１防護カバー板４ａ，４ｂを起立状態に保っており、これは感震ロック装置３ａ，３ｂによって鎖錠されている。また中間バネヒンジ５ａ，５ｂも平時はばね力を蓄えた状態で第２防護カバー板６ａ，６ｂを第１防護カバー板４ａ，４ｂに重なるように折り畳んだ状態に保っており、これは第２防護カバー板６ａ，６ｂの先端縁の両端部が基部バネヒンジ７ａ，７ｂの両端部に対応して設けられた係合溝８ａ，８ｂに係合することにより保持されている。この係合溝による折畳状態の保持は第２防護カバー板６ａ，６ｂが折畳状態のまま第１防護カバー板４ａ，４ｂと共に約９０度弱回動する間に亘って維持され、回動が９０度近傍に達すると第２防護カバー板６ａ，６ｂの先端部と係合溝８ａ，８ｂとの係合が外れて第２防護カバー板６ａ，６ｂが中間バネヒンジ５ａ，５ｂのばね力により第１防護カバー板４ａ，４ｂに対して約１８０度にわたり展開回動する。
【００３１】
従って、感震ロック装置３ａ，３ｂが作動して鎖錠が解除されると基部バネヒンジ７ａ，７ｂが自身のばね力で第１防護カバー板４ａ、４ｂを展開回動させて横梁１３ａ，１３ｂ上に被せるが、この第１防護カバー板の展開回動動作が完了するまでは、この第１防護カバーの先端部で中間バネヒンジ５ａ，５ｂにより回動されるべき第２防護カバー板６ａ，６ｂは未だ第１防護カバー板４ａ，４ｂ上に折畳状態のまま基部バネヒンジの係合溝８ａ，８ｂに係合されたままであり、第１防護カバー板が展開回動動作を完了すると基部バネヒンジにおける回動変位で第２防護カバー板が係合溝８ａ，８ｂから外れ、第２防護カバー板６ａ，６ｂが中間バネヒンジ５ａ，５ｂのばね力により第１防護カバー板４ａ，４ｂに対して約１８０度にわたり展開回動して上部開口１５の遮蔽が完了する。
【００３２】
尚、このような順序動作は３枚以上の防護カバー板を各々中間バネヒンジを介して連設する場合にも可能であり、その場合は同様の係合溝構造を各中間バネヒンジとその先の防護カバー板との間に設ければよい。
【００３３】
このようにして基部バネヒンジから先端側の中間バネヒンジへ順次展開回動動作を開始する順序作動機構がバネヒンジに連携して設けてあるので、各防護カバー板は基部側のものから順に展開して耐震枠組の上部開口１５を先に頭部及び足部側から遮蔽し、順次中央部へ向かって遮蔽を進めてゆくことになり、従って横臥する人の大切な頭部を先行して防護することが可能である。
【００３４】
基部バネヒンジ７ａ，７ｂと中間バネヒンジ５ａ，５ｂは展開回動動作の終了時の防護カバー板の回動に制動を与える制動機構を内蔵しており、これによりばね力で高速に回動してくる防護カバー板が回動動作の終期において上部開口フレーム上にソフトに着地するようにして衝撃を少なくし、また同時にベッド又は寝具上の人体に万一当たったり或いはフレームとの間に手指を挟んだりしてもけがには至らないようにしてある。
【００３５】
中間バネヒンジ５ａ，５ｂはステンレス鋼製の高強度金属パイプからなるハウジングを備えており、その長さは防護カバー板が展開回動したのちには耐震枠組の上部開口フレーム上にパイプ両端部は支承される長さであり、従って各中間バネヒンジは防護カバー板の強度部材を構成する。また、防護カバー板は必要な耐衝撃荷重を満足するものであれば構造に限定はなく、本実施例ではステンレス鋼フレームに透明な高強度プラスチック板を嵌めた障子状のものとしているが、代わりにスチールシャッター板などを利用することもできる。
【００３６】
感震ロック装置３ａ，３ｂは手動操作で折畳式カバー機構の鎖錠を解除する手動解除機構を備えていてもよく、これにより、ベッド又は寝具上に横臥する人が自分で、或いは外部の看護人などが感震センサーの作動前に折畳式カバー機構の鎖錠を手動解除して随時遮蔽動作を行わせることができる。
【００３７】
また、図示の実施例では各折畳式カバー機構２ａ，２ｂとそれを支持する耐震枠組の上部構造（横梁１１ａ，１１ｂ，１３ａ，１３ｂなど）は耐震枠組の下部構造（柱１０ａ，１０ｂなど）に対して四隅の柱の上部に設けられた高さ調整機構１６ａ，１６ｂを介して支承されている。この高さ調整機構１６ａ，１６ｂは手動操作または動力により上部構造を昇降させるジャッキ機構および係止ピン構造を含み、その操作によって耐震枠組内に配置するベッド又は寝具の高さ若しくは厚み寸法並びに使用者の体格に応じて前記空間Ｓ１，Ｓ２の高さ寸法を最適に調整する。
【００３８】
尚、図示しないが、本発明による感震防護装置は地震による揺れを感知したときに伴って警報音を鳴動させるアラーム装置を更に備えることもでき、これにより耐震枠組内のベッド又は寝具上で熟睡していても警報音の鳴動で覚醒を促し、防護動作にそなえさせることができるから危険回避に役立つものである。この場合、アラーム装置の起動は独自の感震センサーによってもよいが、感震ロック装置の感震センサーの作動を利用しても良く、また警報音の鳴動開始は感震ロック装置の作動開始前または作動と同時若しくは直後のいずれでもよく、更には例えば電池で駆動されるアラーム装置を採用して防護カバー板が展開遮蔽動作した後は警報音の鳴動を継続するようにすれば、万一停電して倒壊した建物内に取り残されたとしても救助活動で発見が容易となる利点も得られよう。
【００３９】
以上に述べたように、ベッド又は寝具上で横臥姿勢にある人体に対し、本発明による感震防護装置は耐震枠組とその上面開口を地震発生時に遮蔽する折畳式カバー機構とによって落下物から防護することができ、地震発生によって感震ロック装置が鎖錠を解除すると折畳式カバー機構がベッド又は寝具の頭部側および足部側から互いに向かい合う方向にばね力によって展開して遮蔽するので、フレームに歪みがあっても折畳式カバー機構が支障無く瞬時に、しかも大切な頭部から先行して遮蔽防護可能である。
【００４０】
また本発明による感震防護装置は一般の個人住宅を始め病院および各種宿泊設備において広く利用可能であり、また、耐震枠組内には床や畳の上に直接敷かれた寝具布団は勿論、通常の固定ベッドおよび移動式ベッド並びに前述の降下式ベッドなど、種々のものを配置して防護機能を発揮することができる。
【図面の簡単な説明】
【図１】本発明の一実施例に係る感震防護装置の構造を模式的に示す側面図である。
【符号の説明】
Ｂ：ベッド
Ｓ１：横臥空間
Ｓ２：安全空間
２ａ，２ｂ：折畳式カバー装置
３ａ，３ｂ：感震ロック装置
４ａ，４ｂ：第１防護カバー板
５ａ，５ｂ：中間バネヒンジ梁
６ａ，６ｂ：第２防護カバー板
７ａ，７ｂ：基部バネヒンジ
８ａ，８ｂ：係合溝
９：クッション面
１０：耐震枠組
１０ａ，１０ｂ：柱
１１ａ，１１ｂ：幅方向上部横梁
１２ａ，１２ｂ：幅方向中間横梁
１３ａ，１３ｂ：長手方向上部横梁
１４ａ，１４ｂ：長手方向中間横梁
１５：上部開口
【図１】
0003561872.tif 000002